(57)【要約】      （修正有）【課題】薄紙は勿論のこと、光沢紙やハガキの厚紙を用いた場合にも、鮮明な画像として読み取ることが可能な原稿画像読取装置を提供する。【解決手段】シェーディングローラ３と、密着イメージセンサ１を、押圧レバー３４によって密接させた状態で、原稿を通過させることにより、原稿画像の読み取りが行われる原稿画像読取装置において、密着イメージセンサ１は、その両側端部に、押圧ピン３０と位置決め用ガイド部材３２とを有し、押圧レバー３４の自由端側部分には、長孔を有しており、押圧ピン３０を長孔に沿ってスライド可能にし、且つ押圧レバー３４に対して回動可能に保持し、位置決めガイド部材３２には、密着イメージセンサ１の画像読込み部と押圧ピン３０とを結ぶ直線上に沿って延びているガイド空間３８を形成し、ガイド空間３８内にシェーディングローラ３の回転軸を保持する。【選択図】  図３
2005020298.tif 000002
【特許請求の範囲】
【請求項１】
原稿搬送経路上に配置され且つ位置決めされたシェーディングローラと、該ローラに対向して位置調整可能に設けられた密着イメージセンサと、位置決めされた支点に対して旋回可能に保持された一対の押圧レバーとを備え、押圧レバーによって密着イメージセンサをシェーディングローラに密接した状態で、原稿を密着イメージセンサとシェーディングローラとの間に原稿を通過させることにより、原稿画像の読み取りが行われる原稿画像読取装置において、
前記密着イメージセンサは、その両側端部に、押圧ピンと位置決め用ガイド部材とを有しており、
前記押圧レバーの自由端側部分には、前記押圧ピンが挿入された長孔を有しており、前記押圧ピンは、該長孔に沿ってスライド可能に且つ該押圧レバーに対して回動可能に保持されているとともに、
前記位置決めガイド部材は、側面からみて、前記密着イメージセンサの画像読込み部と前記押圧ピンとを結ぶ直線上に沿って延びているガイド空間を有しており、
前記ガイド空間内に前記シェーディングローラの回転軸が保持され、これにより、密着イメージセンサは、前記シェーディングローラに対してスライド可能となっていることを特徴とする原稿画像読取装置。
【請求項２】
前記一対の押圧ピンは、両者を結ぶ直線上に前記密着イメージセンサの重心が位置するように配置されている請求項１に記載の原稿画像読取装置。
【請求項３】
前記密着イメージセンサは、シェーディングローラから離れる方向に弾性付勢されており、前記押圧レバーは、この弾性付勢力に反して該密着イメージセンサをシェーディングローラに密接するように作用する請求項１または２に記載の原稿画像読取装置。
【発明の詳細な説明】
【０００１】
【発明の属する技術分野】
本発明は、ファクシミリなどの画像形成装置に使用される原稿画像読取装置に関するものであり、より詳細には、密着イメージセンサを備えた原稿画像読取装置に関するものである。
【０００２】
【従来の技術】
所定の原稿の画像についての画像形成を電子写真法によって行う画像形成装置では、原稿画像を読み取り、所定極性に一様に帯電された感光体表面を、読み取った原稿画像の情報に基づいて光照射することにより静電潜像を形成し、該潜像を現像することにより原稿画像に対応するトナー像が形成される。
【０００３】
このような画像形成装置において、原稿画像を読み取るための原稿画像読取装置としては、密着イメージセンサを用いたものが知られている。この密着イメージセンサは白色のシェーディングローラに密接され、この状態で、両者の間に原稿を通過させ（原稿の画像面を密着イメージセンサ側とする）、ＬＥＤ等の光源から原稿の画像面に光照射し、その反射光をＧＲＩＮ（セルフォック）レンズなどの単焦点結像レンズを用いて光電変換素子上で結像させることにより原稿画像を読み取るものである。このような密着イメージセンサを備えた原稿画像読取装置は、コンパクトでメンテナンスが容易であることから、特にファクシミリなどのマシンに使用されている。
【０００４】
上記のような密着イメージセンサを備えた原稿画像読取装置として、該センサをバネを用いてシェーディングローラに密接させたものが知られている（特許文献１参照）。
【０００５】
【特許文献１】
特開平４−１０４５６２号公報
【０００６】
【発明が解決しようとする課題】
しかしながら、密着イメージセンサを備えた従来公知の原稿画像読取装置は、例えば、厚みの薄い普通紙を用いた場合には特に問題はないが、光沢紙やハガキのような厚紙を原稿として用いた場合には、読取画像がぼけてしまうという問題があった。即ち、原稿の厚みが厚いと、密着イメージセンサの原稿画像読取面と原稿との間に微小な隙間が生じてしまう。しかるに密着イメージセンサで用いているレンズは、短焦点結像レンズであり被写界深度が浅く、読取面と原稿との間に生じた微小な隙間によって読取画像がピンボケ状態となってしまうのである。
【０００７】
従って、本発明の目的は、薄紙は勿論のこと、光沢紙やハガキの厚紙を用いた場合にも、ピンボケ状態とならず、鮮明な画像として原稿画像を読み取ることが可能な密着イメージセンサ型の原稿画像読取装置を提供することにある。
【０００８】
【課題を解決するための手段】
本発明によれば、原稿搬送経路上に配置され且つ位置決めされたシェーディングローラと、該ローラに対向して位置調整可能に設けられた密着イメージセンサと、位置決めされた支点に対して旋回可能に保持された一対の押圧レバーとを備え、押圧レバーによって密着イメージセンサをシェーディングローラに密接した状態で、原稿を密着イメージセンサとシェーディングローラとの間に原稿を通過させることにより、原稿画像の読み取りが行われる原稿画像読取装置において、
前記密着イメージセンサは、その両側端部に、押圧ピンと位置決め用ガイド部材とを有しており、
前記押圧レバーの自由端側部分には、前記押圧ピンが挿入された長孔を有しており、前記押圧ピンは、該長孔に沿ってスライド可能に且つ該押圧レバーに対して回動可能に保持されているとともに、
前記位置決めガイド部材は、側面からみて、前記密着イメージセンサの画像読込み部と前記押圧ピンとを結ぶ直線上に沿って延びているガイド空間を有しており、
前記ガイド空間内に前記シェーディングローラの回転軸が保持され、これにより、密着イメージセンサは、前記シェーディングローラに対してスライド可能となっていることを特徴とする原稿画像読取装置が提供される。
【０００９】
本発明においては、
１．前記一対の押圧ピンは、両者を結ぶ直線上に前記密着イメージセンサの重心が位置するように配置されていること、
２．前記密着イメージセンサは、シェーディングローラから離れる方向に弾性付勢されており、前記押圧レバーは、この弾性付勢力に反して該密着イメージセンサをシェーディングローラに密接するように作用すること、
が好適である。
【００１０】
【発明の実施の形態】
本発明を、以下、添付図面に示す具体例に基づいて説明する。
密着イメージセンサの概略構造を示す図１において、全体として１で示す密着イメージセンサは、シェーディングローラ３の下方に配置されるものであり、ボックス状の枠体５の内部に、ＬＥＤ等の光源７と、ＧＲＩＮレンズ等の短焦点結像レンズ９と、光電変換素子１１とを備えている。また、ボックス状枠体５の上部には、透明ガラス板１３が嵌め込まれており、この透明ガラス板１３がシェーディングローラ１に密接するようになっている。
【００１１】
このような密着イメージセンサ１の両側には、それぞれ一対の給紙ローラ１５，１５及び１７，１７、並びに搬送ガイド１９，１９及び２１，２１が配置されており、透明ガラス板１３がシェーディングローラ１に密接した状態で、給紙ローラ１５，１７及びシェーディングローラ３を駆動させて、両者の間に原稿２３を通すことにより、原稿画像の読み取りが行われる。
【００１２】
即ち、光源７から原稿２３に光を照射し、その反射光を短焦点結像レンズ９を介して光電変換素子１１で受けることにより、原稿画像が読み取られる。読み取られた原稿画像の画像情報はデジタル信号に変換されて送信され、この情報に基づいて画像露光が行われて原稿画像に対応する画像が形成されることとなる。
【００１３】
上記のような密着イメージセンサ１においては、図１に示されているように、透明ガラス板１３上の画像読込み部１３ａに原稿２３が密着していることが必要である。しかしながら、従来公知の画像読取装置、例えば特許文献１の画像読取装置では、透明ガラス板１３の面が所定の支点に対して旋回可能に設けられているため、所謂普通紙を原稿２３として用いた場合には、画像読込み部１３ａに原稿２３が密着し、原稿画像の読み取りを正確に行うことができるが、厚紙を原稿２３として用いた場合には、透明ガラス板１３が旋回により傾斜してしまい、この結果、図２に示すように、画像読込み部１３ａと原稿２３との間に微小な隙間が生じてしまう。即ち、被写界深度の浅い短焦点結像レンズ９を用いているため、このような微小な隙間によって読み取られた画像はピンボケの状態となってしまうのである。
【００１４】
しかるに、本発明によれば、厚紙を原稿２３として用いた場合にも、上記のような画像のピンボケを有効に回避することができる。
【００１５】
かかる本発明の画像読取装置の概略構造を示す図３（ａ）、（ｂ）において、密着イメージセンサ１の両側面１ａ，１ａには、それぞれ押圧ピン３０が設けられており、両側端部の上面には、位置決め用ガイド部材３２が設けられている。また、装置枠に位置決めされた支点ピン３３に対して旋回可能に保持された一対の押圧レバー３４，３４が設けられている。さらに、密着イメージセンサ１は、装置枠に固定されているバネ３６に保持されており、このバネ３６によって下方に付勢されている。
【００１６】
押圧レバー３４，３４は、それぞれ上記の押圧ピン３０と係合するものであり、その自由端側部分には、長孔３４ａが形成されており、この長孔３４ａ内に押圧ピン３０が挿入されている。即ち、押圧ピン３０は、該長孔３４ａに沿ってスライド可能であり、密着イメージセンサ１は、押圧レバー３４に対して回動可能に保持されている。
【００１７】
上記の押圧レバー３４は、例えばソレノイド（図示せず）により支点ピン３３を支点として旋回駆動するように設けられ、ソレノイドをＯＮとすることにより、その先端（自由端）が上方に旋回し、これにより、密着イメージセンサ１は、バネ３６に反して上方に持ち上げられ、その画像読込み部１３ａは、シェーディングローラ３に密接するようになっている。
【００１８】
一方、位置決めガイド部材３２，３２は、シェーディングローラ３の回転軸３ａが嵌め込まれているガイド空間３８が設けられている。本発明において、このガイド空間３８は、密着イメージセンサ１の画像読込み部１３ａと押圧ピン３０とを結ぶ直線Ｌ上に沿って延びていることが重要である。これにより、密着イメージセンサ１は、画像読込み部１３ａと押圧ピン３０とを結ぶ直線Ｌに沿ってスライド可能となり、押圧レバー３４の旋回による密着イメージセンサの上下動が規制される。
【００１９】
即ち、本発明においては、押圧レバー３４と押圧ピン３０とが相対的にスライド可能となっているため、押圧レバー３４の旋回の程度にかかわらず、押圧ピン３０は、常に、シェーディングローラ３の回転軸３ａと画像読込み部１３ａとを結ぶ直線Ｌ上に位置する。従って、透明ガラス板１３とシェーディングローラ３との間を通過する原稿２３は、常に、画像読込み部１３ａと接触することとなり、普通紙及び厚紙の何れを原稿２３として用いた場合にも、この原稿２３は、常に画像読込み部１３ａと密着し、この結果、微小空間の形成による画像のピンボケを有効に回避することが可能となるのである。
【００２０】
また、本発明においては、一対の押圧ピン３０，３０は、これを結ぶ直線Ｌ上に密着イメージセンサ１の重心が位置するように配置することが好ましい。これにより、密着イメージセンサ１は、押圧ピンを支点としての旋回が有効に回避でき、透明基板１３の面全体が原稿２３と密着するようになり、原稿画像の読み取りを安定して行うことができる。
【００２１】
尚、本発明においては、原稿画像の読み取りを行わない場合には、例えばソレノイドをＯＦＦとして押圧レバー３４の動作を解除することにより、密着イメージセンサ１はバネ３６により降下し、シェーディングローラ３と密着イメージセンサ１とを非接触状態に保持しておくことができ、透明ガラス板１３の摩耗や損傷を有効に回避することができる。
【００２２】
【発明の効果】
本発明によれば、薄紙は勿論のこと、光沢紙やハガキの厚紙を用いた場合にも、密着イメージセンサと原稿との密着状態を安定して確保することができ、原稿と密着イメージセンサとの間の微小空間の発生による読み取り画像のピンボケを有効に回避することができる。
【図面の簡単な説明】
【図１】本発明に用いる密着イメージセンサの概略構造を示す図。
【図２】従来公知の原稿読取装置に生じる不具合を説明するための図。
【図３】本発明の原稿読取装置の構造を示す図であり、（ａ）は側面図であり、（ｂ）は正面図。
【符号の説明】
１：密着イメージセンサ
３：シェーディングローラ
１３ａ：原稿読込み部
３０：押圧ピン
３２：位置決めガイド部材
３４：押圧レバー
３８：ガイド空間
【図１】
2005020298.tif 000003
【図２】
2005020298.tif 000004
【図３】
2005020298.tif 000005